(57)【要約】      （修正有）【課題】ＬＥＤ型電球タイプにおいて感電防止など安全性が確保され効果的にマイナスイオン発生機能を有する製品を広く提供する。【解決手段】密閉されたグローブ型カバー２の頂部に設置の凹部３の底中心に絶縁された高電圧の電極４を露出させかつ、そのマイナスイオン吹き出し口６は、プラスに帯電したグローブ型カバー２と電気的に中和されないよう、３０度程度に開いた逆円錐状のマイナスイオン放出界に触れないよう、又指が電極に触れないような寸法にする。又、高圧発生ユニット５の発生熱を効果的に放熱させる。【選択図】図１
0003160961.tif 000002
【実用新案登録請求の範囲】
【請求項１】
電球形ＬＥＤランプにおいて、密閉されたグローブ型カバーの頂部に設けた凹部の底中心にグローブ型カバーと密着しつつも絶縁された状態の電極を露出させ空気中に電子を放出させることにより空気中の水分子をマイナスイオン化するもので、その凹部のマイナスイオン吹き出し口は、プラスに帯電したグローブ型カバーと電気的に中和されないよう、３０度程度に開いた逆円錐状のマイナスイオン放出界に触れないような寸法にされていて、更に電気用品安全法で規定する試験指を挿しこんだときに電極に触れないような寸法を有することを特徴とするマイナスイオン発生器を有する電球形ＬＥＤランプ。
【考案の詳細な説明】
【技術分野】
【０００１】  本考案は、マイナスイオン発生器を有するいわゆる電球形ランプに関するものである。
【背景技術】
【０００２】  従来、口金を有する、例えば電球形蛍光灯にマイナスイオン発生機能を有するものはいろいろあった。照明と空気清浄を兼ねた簡便な構造と機能は場所を選ばず一定の評価を受けている。その構造は、高圧発生ユニットを口金に続く回路部内に有し、電極は屈曲させた蛍光管の間に露出させ送風手段を有しなくともマイナスイオンを放出できるというものが多いが、中には電極が直接手に触れて感電するものがあり、その欠点を解決するためマイナスイオンの放出界に影響を与えずに安全カバーで覆うという考案もなされている。しかし、近年はＬＥＤを用いた電球タイプがその消費電力の少なさと長寿命がエコ社会に不可欠として急速に普及し始めたが、ＬＥＤ形電球タイプで感電防止など安全性が確保され効果的にマイナスイオン発生機能を有するものはまだ見られない。
【考案の開示】
【考案が解決しようとする課題】
【０００３】  従来の技術でも述べたように、ＬＥＤ型電球タイプで感電防止など安全性が確保され効果的にマイナスイオン発生機能を有するものはまだ見られない。しかし、マイナスイオン発生機能を従来の電球形蛍光ランプに付加するよりも蛍光管よりも長寿命のＬＥＤ型に付加するほうが合理的であると考えられる。だが、電球形ＬＥＤ型ランプは電球形蛍光ランプと異なり、ＬＥＤチップをほこりや有害ガス、虫の侵入から保護するため発光部を密閉にする必要があるから電極をどのように露出すべきかが課題である。というのも、一般的にグローブ型カバーはプラスに帯電しやすく、電極から放出される電子を中和してしまうからである。又、直接指などが触れないようにもしなければ感電の危険性も出てくる。本考案はこのような課題を解決するために密閉されたグローブ型カバーを工夫し、安全でかつ効果的にマイナスイオンを放出できるようにするものである。
【課題を解決するための手段】
【０００４】  課題を解決するにあたって、従来の電球形ＬＥＤランプのデザインや構造を大きく変えることのない形態が望ましい。ランプとしての生命は照度であり、これを阻害するものであってはならないし、使い方も特別なものであってはならない。この前提に立って課題を解決するためには、グローブ型カバーの頂部に電極を収容する一体成型の凹部を設け、その底部中心には電極を露出するための孔を設ける。電極は凹部の孔と直接接触しないように絶縁体を介在させる。直接接触すると漏電の可能性やマイナスイオン放出量に影響が出るからである。又、この絶縁体はグローブ型カバーを密閉状態に維持するためのパッキンの役割も果たす。電極は針状でも炭素繊維集合体でも構わないが、炭素繊維集合体の場合は先端の房状部分は極力広がらないようにする。房状部分が広がりすぎるとマイナスイオン放出界が広がりグローブ型カバーに帯電したプラス電気と中和されるからである。このような理由から電極はできればマイナスイオン放出界が限定できる針状電極が好ましい。電極先端と凹部の開口部つまりマイナスイオン吹き出し口との距離は、指が触れても接触せずしかもグローブ型カバーに帯電したプラス電気と中和しにくい数値にしなければならない。電極の先端からのマイナスイオン放出界は実験結果から３０度程度に開いた逆円錐状と推定されるのでマイナスイオン測定器で計測して最良の位置を設定する。マイナスイオン吹き出し口の直径は、影を最小限にするために８ｍｍ程度が好ましく、これは指先の感電対策上からも適切である。又、凹部の深さや形状は電極の露出状況に合わせて考慮する。但し電極先端はマイナスイオン吹き出し口から最低４ｍｍ離す必要がある。電子を放出させるための高圧発生ユニットはＬＥＤ回路収納部の下部空間に収容し、電極へ続く電極導線は電極導線絶縁カバーで被覆してＬＥＤチップ基盤の中央を貫通させてグローブ型カバーに設けた凹部の底へ導く。電極導線絶縁カバーは絶縁破壊抵抗の高いものを使用する。この電極導線絶縁カバーはグローブ型カバーへ影が投影されにくいようにできるだけ細く、色は白色のものを使用する。直径は６ｍｍ以下が望ましい。素材はポリブチレンテレフタレート（ＰＢＴ樹脂）もしくはセラミック製のものでも構わないが、セラミックの場合はグローブ型カバーの凹部の底に設けられる孔と密着できるようなパッキンか絶縁充填剤が必要である。高圧発生ユニットの電源は口金の２極から取り込むかもしくはＬＥＤ回路収納部から取り込んでも構わない。全体の構成は一般的な電球型ＬＥＤランプ構造に対応すれば構わないが、高圧発生ユニットの発熱があるので外殻の放熱構造体は放熱効果を高めるために放熱フィンを多くするなど工夫が必要である。なお、グローブ型カバーは樹脂でもガラスでもかまわない。このように構成すれば、従来の電球形ＬＥＤランプを使用する感覚でマイナスイオン発生器が得られる。
【考案の効果】
【０００５】  上述のように構成された本考案のマイナスイオン発生器を有する電球形ＬＥＤランプは、ＬＥＤチップを保護するための密閉されたグローブ型カバーを有しながらも安全でしかも効果的にマイナスイオンを空気中に放散できるという他にはない効果を有する。
【考案を実施するための最良の形態】
【０００６】  課題を解決する手段でも述べたように、従来の電球形ＬＥＤランプのデザインや構造を大きく変えることのない形態が望ましい。ランプとしての生命は照度であり、これを阻害するものであってはならないし、使い方も特別なものであってはならない。
【実施例】
【０００７】  以下、図１から図４に従って実施例を説明する。図１は本考案の部分断面図である。１はマイナスイオン発生器を有する電球形ＬＥＤランプ。２はグローブ型カバーで、３の凹部と一体に成形される。素材はポリカーボネート樹脂。６のマイナスイオン吹き出し口の直径は８ｍｍ、３の凹部の深さは１１ｍｍ。３の凹部の底中央には２．５ｍｍの孔を有する。４の電極は針状をなす。これには１４の電極導線が接続される。１４の電極導線を絶縁被覆する７の電極導線絶縁カバーは先端が３の凹部の底にある孔に勘合する形状に成形され中空である。４の電極は７の電極導線絶縁カバーの先端で固定される。１４の電極導線は被覆されながら８のＬＥＤチップ基盤及び１０のＬＥＤ回路収納部を貫通して５の高圧発生ユニットに至る。５の高圧発生ユニットは１３の絶縁構造体の内部で保持される。この電源は１１の口金の２極から取り込んでいる。１３の絶縁構造体は耐熱樹脂又はセラミック製で１２の放熱構造体の内部に収まっており１０のＬＥＤ回路収納部を係止し併せて電源供給部である１１の口金と接合している。２のグローブ型カバーは本体の外殻である１２の放熱構造体の最外周部分に接合されている。１２の放熱構造体はアルミ合金製もしくは熱伝導性樹脂製で、外周には放熱効果を得るための９の放熱フィンを多数有する構造でもよい、上端のリング部で８のＬＥＤチップ基盤をアルミ等の熱伝導効果の高い板材を介して係止するとともに内部の熱を放散させている。図４では１６のマイナスイオンの放出界と２のグローブ型カバー及び６のマイナスイオン吹き出し口との静電気的関係を示すとともに１７のマイナスイオン及び１８のプラスイオンの分布を模式的に表す。
【産業上の利用可能性】
【０００８】  本考案は以上のように構成されるので、空気清浄機のように場所を選ばず、照明器具のあるところであれば安全で効果的にマイナスイオンを発生させられる特徴を有し、かつ今後主流になる電球形ＬＥＤランプに応用できる。これは煙草の煙や汚染空気、悪臭に悩む一般家庭や病院や福祉施設といった空間の環境改善に役立ち、需要も大きいので産業的にも有用である。
【図面の簡単な説明】
【０００９】
【図１】  本考案のマイナスイオン発生器を有する電球形ＬＥＤランプの実施例を示す部分断面図である。
【図２】  本考案のマイナスイオン発生器を有する電球形ＬＥＤランプの実施例を示す平面図である。
【図３】  本考案のマイナスイオン発生器を有する電球形ＬＥＤランプの実施例を示す正面図である。
【図４】  本考案のマイナスイオン発生器を有する電球形ＬＥＤランプの実施例の静電気的関係を示す模式図（部分断面図）である。
【符号の説明】
【００１０】１  マイナスイオン発生器を有する電球形ＬＥＤランプ
２  グローブ型カバー
３  凹部
４  電極
５  高圧発生ユニット
６  マイナスイオン吹き出し口
７  電極導線絶縁カバー
８  ＬＥＤチップ基盤
９  放熱フィン
１０  ＬＥＤ回路収納部
１１  口金
１２  放熱構造体
１３  絶縁構造体
１４  電極導線
１５  接合部
１６  マイナスイオンの放出界
１７  マイナスイオン
１８  プラスイオン
【図１】
0003160961.tif 000003
【図２】
0003160961.tif 000004
【図３】
0003160961.tif 000005
【図４】
0003160961.tif 000006